(57)【特許請求の範囲】
【請求項１】
画像を用紙に記録する画像形成装置と、前記画像形成装置から排出された前記用紙を溜める排紙トレイとを備えた画像処理装置であって、
前記排紙トレイは、
前記画像形成装置から排出された前記用紙を受けて滑降させる第１傾斜部と、
垂直方向に対して前記第１傾斜部とは反対向きに傾斜し、前記第１傾斜部から該第１傾斜部の傾斜方向に離して配置された第２傾斜部と、
前記第１傾斜部の下端で下方に屈曲して延在し、前記第２傾斜部と向き合う壁部とを有しており、
前記第１傾斜部から該第１傾斜部の傾斜方向に前記第２傾斜部まで延ばされた仮想直線と前記第２傾斜部との間の前記壁部に向く角度を鈍角に設定し、
前記壁部の上部に前記第２傾斜部側に突出し、かつ、前記仮想直線より下部に配置された凸部が設けられ、
前記凸部の突出した先端から下方に延ばされた仮想垂線は、前記第２傾斜部に交わるものであり、
前記画像形成装置で用いられる用紙が前記画像形成装置の排出口からフェイスアップで排出されて前記第１傾斜部を滑降するように、前記画像形成装置の排出口と前記第１傾斜部との位置関係が設定されており、
前記第１傾斜部の下端部は、前記第２傾斜部の上端部よりも上部に位置していることを特徴とする画像処理装置。
【請求項２】
請求項１に記載の画像処理装置であって、
前記排紙トレイに排出された用紙を取り出すための用紙排出口が設けられており、
前記第１傾斜部において用紙が滑降する面は、前記用紙排出口に対向していることを特徴とする画像処理装置。
【請求項３】
請求項１又は２に記載の画像処理装置であって、
前記第１傾斜部の下端と前記壁部との屈曲位置は、用紙の先端が前記第２傾斜部に当接して前記第１傾斜部に載った状態の前記用紙の重心位置よりも高いことを特徴とする画像処理装置。
【請求項４】
請求項１から３のいずれか１つに記載の画像処理装置であって、
前記第２傾斜部の下端と前記壁部の下端とを離間させ、前記各下端の間に底部を設けたことを特徴とする画像処理装置。
【請求項５】
請求項１から４のいずれか１つに記載の画像処理装置であって、
前記壁部の下部に、前記凸部よりも前記第２傾斜部とは反対側に凹んだ凹所を形成したことを特徴とする画像処理装置。
【請求項６】
請求項１から５のいずれか１つに記載の画像処理装置であって、
前記凸部は、前記壁部から突出して湾曲又は傾斜していることを特徴とする画像処理装置。
【請求項７】
請求項１から６のいずれか１つに記載の画像処理装置であって、
前記第２傾斜部又は前記凸部は、前記画像形成装置から用紙が排出される方向に対して直交する方向に並ぶ複数の板状部材の端部からなることを特徴とする画像処理装置。
【発明の詳細な説明】
【技術分野】
【０００１】
本発明は、画像を用紙に記録する画像形成装置に付設され、画像形成装置から排出された用紙を溜める排紙トレイ及びそれを備えた画像処理装置に関する。
【背景技術】
【０００２】
画像形成装置としては、画像を記録した用紙面を下向きにして、用紙を排出するもの（フェイスダウン）、また画像を記録した用紙面を上向きにして、用紙を排出するものがある（フェイスアップ）。
【０００３】
ここで、複数の画像をそれぞれの用紙に順次印刷して、各用紙を逐一排出する場合、フェイスダウンでは、排出されて重なった各用紙を纏めて引っ繰り返せば、各用紙の画像の順序と元の各画像の印刷順序とが一致し、各用紙を並べ替える必要がない。しかしながら、排出された用紙を引っ繰り返すまでは、用紙の画像を見ることができない。
【０００４】
また、フェイスアップでは、排出された用紙を引っ繰り返さなくても、用紙の画像を見ることができるものの、各用紙の画像の順序と元の各画像の印刷順序とが逆になるので、各用紙を並べ替える必要がある。このため、特許文献１では、用紙がプリンタから排出される度に、用紙を回転トレイに受け、回転トレイを回転させて、用紙の表裏を反転させ、用紙を排紙トレイにフェイスダウンで排出して積載している。
【０００５】
また、特許文献２では、ロール紙を用いることを前提とし、ロール紙をカットして排出するときに、湾曲したロール紙の一端を壁面に当接させて、湾曲したロール紙をその一端を中心に回転させて引っ繰り返しながら落下させている。
【先行技術文献】
【特許文献】
【０００６】
【特許文献１】特開２００３−１４６５１０号公報
【特許文献２】特開２００３−２５２５１４号公報
【発明の概要】
【発明が解決しようとする課題】
【０００７】
しかしながら、特許文献１では、回転トレイを回転させるため、構成の複雑化を招く。また、特許文献２では、湾曲したロール紙を前提としており、平面状の用紙を引っ繰り返すことはできない。
【０００８】
そこで、本発明は、上記従来の問題点に鑑みなされたものであり、簡単な構成でありながら、用紙が湾曲していてもあるいは平面状であっても、用紙を引っ繰り返すことが可能な排紙トレイ及びそれを備えた画像処理装置を提供することを目的とする。
【課題を解決するための手段】
【０００９】
上記課題を解決するために、本発明の排紙トレイは、画像を用紙に記録する画像形成装置に付設され、前記画像形成装置から排出された前記用紙を溜める排紙トレイであって、前記画像形成装置から排出された前記用紙を受けて滑降させる第１傾斜部と、垂直方向に対して前記第１傾斜部とは反対向きに傾斜し、前記第１傾斜部から該第１傾斜部の傾斜方向に離して配置された第２傾斜部と、前記第１傾斜部の下端で下方に屈曲して延在し、前記第２傾斜部と向き合う壁部とを有しており、前記第１傾斜部から該第１傾斜部の傾斜方向に前記第２傾斜部まで延ばされた仮想直線と前記第２傾斜部との間の前記壁部に向く角度を鈍角に設定している。
【００１０】
また、本発明の排紙トレイは、画像を用紙に記録する画像形成装置に付設され、前記画像形成装置から排出された前記用紙を溜める排紙トレイであって、前記画像形成装置から排出された前記用紙を受けて滑降させる第１傾斜部と、垂直方向に対して前記第１傾斜部とは反対向きに傾斜し、前記第１傾斜部から該第１傾斜部の傾斜方向に離して配置された第２傾斜部と、前記第１傾斜部の下端で下方に屈曲して延在し、前記第２傾斜部と向き合う壁部とを有しており、前記壁部の上部に前記第２傾斜部側に突出する凸部を設けている。
【００１１】
このような本発明では、第２傾斜部を第１傾斜部から該第１傾斜部の傾斜方向に離して配置し、第１傾斜部と第２傾斜部とを反対向きに傾斜させているので、第１傾斜部で受けられて滑降して来た用紙の先端が第２傾斜部に当接して、用紙の先端が第２傾斜部で下方に滑り落ち、第１傾斜部の下端と壁部との屈曲位置又は凸部で用紙が回転して、用紙が裏返り、用紙が第２傾斜部で受けられる。また、２枚目以降の用紙は、第１傾斜部で滑降して、第２傾斜部で既に受けられて第２傾斜部と同様に傾斜した用紙の裏面に当接して下方に滑り落ち、屈曲位置又は凸部で回転して裏返り、第２傾斜部で受けられる。すなわち、用紙が第１傾斜部で滑降し、滑降して来た用紙の慣性（勢い）によりその用紙の先端が第２傾斜部又は第２傾斜部と同様に傾斜した他の用紙の裏面に当接して滑り落ち、用紙が第１傾斜部の下端と壁部との屈曲位置又は凸部で引っ繰り返されて、その用紙の表裏が反転され、用紙が第２傾斜部で受けられる。このため、例えば、複数の画像をそれぞれの用紙に順次印刷して、各用紙をフェイスアップで逐一排出した場合、第１傾斜部での滑降中に各用紙の画像を見ることができ、また用紙の排出の度に、用紙の表裏が反転されて、用紙が第２傾斜部にフェイスダウンで溜められる。そして、第２傾斜部に溜められて重なった各用紙を纏めて引っ繰り返せば、各用紙の画像の順序と元の各画像の印刷順序とが一致し、各用紙を並べ替える必要がない。
【００１２】
また、本発明の排紙トレイにおいては、前記第１傾斜部の下端と前記壁部との屈曲位置は、用紙の先端が前記第２傾斜部に当接して前記第１傾斜部に載った状態の前記用紙の重心位置よりも高い。
【００１３】
この場合は、用紙の重心位置が第１傾斜部及び屈曲位置よりも低くなり、用紙が屈曲位置を中心にして回転しようとするモーメントが生じ、用紙が屈曲位置で引っ繰り返り易くなる。
【００１４】
更に、本発明の排紙トレイにおいては、前記第２傾斜部の下端と前記壁部の下端とを離間させ、前記各下端の間に底部を設けている。
【００１５】
この場合は、各用紙の先端を底部に当接させて、各用紙を第２傾斜部に重ね置くことになり、多数の用紙を溜めることができる。
【００１６】
また、本発明の排紙トレイにおいては、前記壁部の下部に、前記凸部よりも前記第２傾斜部とは反対側に凹んだ凹所を形成している。
【００１７】
このような凹所は、第１傾斜部の下端と壁部との屈曲位置又は凸部で回転した用紙の先端が移動するスペースとなるので、用紙の先端が充分に移動して、用紙が容易に裏返る。
【００１８】
更に、本発明の排紙トレイにおいては、前記凸部は、前記壁部から突出して湾曲又は傾斜している。
【００１９】
このような凸部は、第１傾斜部と滑らかに繋がる。このため、第１傾斜部で滑降して来た用紙が凸部を速やかに通過しつつ、滑降中の用紙の慣性によりその用紙が凸部で容易に回転して裏返る。
【００２０】
また、本発明の排紙トレイにおいては、前記第２傾斜部又は前記凸部は、前記画像形成装置から用紙が排出される方向に対して直交する方向に並ぶ複数の板状部材の端部からなる。
【００２１】
このような各板状部材により第２傾斜部又は凸部を構成すると、用紙が第２傾斜部又は凸部で滑ってより回転し易くなる。また、第２傾斜部と用紙と間に空間が形成されるので、第２傾斜部からの用紙の取り出し作業が容易になる。
【００２２】
更に、本発明の排紙トレイにおいては、前記凸部の突出した先端から下方に延ばされた仮想垂線は、前記第２傾斜部に交わっている。
【００２３】
この場合は、用紙が凸部で回転して略垂直に立ったときにも、用紙の先端が第２傾斜部上にあるので、用紙の先端が第２傾斜部で引き続き滑降して、用紙がより確実に回転する。
【００２４】
一方、本発明の画像処理装置は、画像を用紙に記録する画像形成装置と、前記画像形成装置から排出された前記用紙を溜める上記本発明の排紙トレイとを備えている。
【００２５】
このような画像処理装置においても、上記本発明の排紙トレイと同様の作用効果を達成することができる。
【発明の効果】
【００２６】
本発明では、第２傾斜部を第１傾斜部から該第１傾斜部の傾斜方向に離して配置し、第１傾斜部と第２傾斜部とを反対向きに傾斜させているので、第１傾斜部で受けられて滑降して来た用紙の先端が第２傾斜部に当接して、用紙の先端が第２傾斜部で下方に滑り落ち、第１傾斜部の下端と壁部との屈曲位置又は凸部で用紙が回転して、用紙が裏返り、用紙が第２傾斜部で受けられる。また、２枚目以降の用紙は、第１傾斜部で滑降して、第２傾斜部で既に受けられて第２傾斜部と同様に傾斜した用紙の裏面に当接して下方に滑り落ち、屈曲位置又は凸部で回転して裏返り、第２傾斜部で受けられる。すなわち、用紙が第１傾斜部で滑降し、滑降して来た用紙の慣性（勢い）によりその用紙の先端が第２傾斜部又は第２傾斜部と同様に傾斜した他の用紙の裏面に当接して滑り落ち、用紙が第１傾斜部の下端と壁部との屈曲位置又は凸部で引っ繰り返されて、その用紙の表裏が反転され、用紙が第２傾斜部で受けられる。このため、例えば、複数の画像をそれぞれの用紙に順次印刷して、各用紙をフェイスアップで逐一排出した場合、第１傾斜部での滑降中に各用紙の画像を見ることができ、また用紙の排出の度に、用紙の表裏が反転されて、用紙が第２傾斜部にフェイスダウンで溜められる。そして、第２傾斜部に溜められて重なった各用紙を纏めて引っ繰り返せば、各用紙の画像の順序と元の各画像の印刷順序とが一致し、各用紙を並べ替える必要がない。
【図面の簡単な説明】
【００２７】
【図１】本発明の排紙トレイの一実施形態を備えた画像処理装置及び複合機を示す正面図である。
【図２】画像処理装置の手前側の蓋体が開かれた状態を示す斜視図である。
【図３】本実施形態の排紙トレイ及び昇華型プリンタ等を示す断面図である。
【図４】画像処理装置の蓋体を取外した状態で、排紙トレイ及び昇華型プリンタ等を示す斜視図である。
【図５】排紙トレイ等を拡大して示す断面図である。
【図６】（ａ）〜（ｅ）は、排紙トレイに排出された記録用紙の動きを示す図である。
【図７】（ａ）〜（ｃ）は、排紙トレイにおける凸部の変形例を示す断面図である。
【発明を実施するための形態】
【００２８】
以下、本発明の一実施形態を図面を参照して詳細に説明する。
【００２９】
図１は、本発明の排紙トレイの一実施形態を備えた画像処理装置及び複合機を示す正面図である。また、図２は、画像処理装置の手前側の蓋体が開かれた状態を示す斜視図である。
【００３０】
図１に示すように画像処理装置１は、複合機２と共に店舗等に設置される。画像処理装置１では、利用者のメモリカード等の記録媒体から画像を読取って、この画像を記録用紙に印刷し、記録用紙を排出して提供する。また、複合機２は、複写機能、ファクシミリ機能、プリンタ機能等を有する。更に、画像処理装置１と複合機２とは互いに接続されて、各装置１、２間でデータ通信を行うことができ、画像処理装置１と複合機２とが連係動作する。
【００３１】
図１及び図２に示すように画像処理装置１の手前側の蓋体１１は、装置本体１２の開口部の縁に軸支されて、開閉可能である。装置本体１２の上部には、メモリカード等の記録媒体の挿入口１３が設けられ、蓋体１１の上部には、硬貨投入口１４が設けられている。また、蓋体１１の正面壁部には、領収書排出口１５、紙幣投入口１６、硬貨返却口１７、及び記録用紙排出口１８が設けられ、記録用紙排出口１８の内側に排紙トレイ３１が配置されている。更に、図２に示すように装置本体１２の内部上側に感熱プリンタ２１が設けられ、また装置本体１２の内部の棚２２上に昇華型プリンタ２３が設けられている。
【００３２】
図１に示すように蓋体１１が閉じられた状態では、感熱プリンタ２１の感熱紙の排出口２１ａが蓋体１１の領収書排出口１５と対峙し、感熱紙が感熱プリンタ２１の排出口２１ａから蓋体１１の領収書排出口１５へと排出される。また、昇華型プリンタ２３の記録用紙の排出口２３ａが蓋体１１の排紙トレイ３１の上方に配置され、記録用紙が昇華型プリンタ２３の排出口２３ａから排紙トレイ３１へと排出される。排紙トレイ３１に排出された記録用紙は、記録用紙排出口１８を通じて取り出すことができる。
【００３３】
一方、複合機２の手前側上部には、操作パネル３が設けられている。この操作パネル３は、例えば複数の操作キー、液晶表示装置２４、及び液晶表示装置２４の画面に重ねられたタッチパネル等を備え、画像処理装置１及び複合機２の操作ガイダンス等を液晶表示装置２４の画面に表示したり、各操作キーや液晶表示装置２４の画面上の表示ボタンが操作されたときにその操作に応じた指示を出力したりする。画像処理装置１及び複合機２は、その指示に応答動作する。
【００３４】
次に、画像処理装置１による印刷の概略動作を説明する。まず、利用者は、操作パネル３の各操作キーや液晶表示装置２４の画面上の表示ボタンを操作して、画像処理装置１の昇華型プリンタ２３による印刷を選択指示し、画像処理装置１の挿入口１３に記録媒体を挿入する。これに応答して画像処理装置１では、記録媒体のリーダー（図示せず）により記録媒体内の画像を読み出し、画像の枚数等に応じた料金を求める。この料金は、複合機２の液晶表示装置２４の画面に表示される。利用者は、画面の料金を見て、硬貨や紙幣を画像処理装置１の硬貨投入口１４や紙幣投入口１６に投入して、料金を支払う。これに応答して画像処理装置１では、支払われた額が料金よりも多ければ、その差額に対応する硬貨を硬貨返却口１７に排出し、また感熱プリンタ２１により領収書を感熱紙に印刷して、この領収書を感熱プリンタ２１の排出口２１ａから蓋体１１の領収書排出口１５へと排出する。そして、記録媒体内の画像を昇華型プリンタ２３に入力し、昇華型プリンタ２３により画像を記録用紙に印刷し、記録用紙を昇華型プリンタ２３の排出口２３ａから蓋体１１の排紙トレイ３１へと排出する。また、記録媒体から複数枚の画像を読み出したときには、昇華型プリンタ２３により各画像をそれぞれの記録用紙に順次印刷し、各記録用紙を排紙トレイ３１へと逐一排出する。利用者は、排紙トレイ３１に排出された記録用紙を記録用紙排出口１８を通じて取り出す。
【００３５】
尚、画像処理装置１は、複合機２とのデータ通信により、複合機２の複写機能、ファクシミリ機能、及びプリンタ機能の利用に対しても課金を行うことができる。また、画像処理装置１と複合機２間のデータ通信により、記録媒体から読出された全画像を液晶表示装置２４の画面に表示して、画面上で画像を選択し、この選択した画像を昇華型プリンタ２３で印刷したり、画面上で画像を編集して、この編集した画像を昇華型プリンタ２３で印刷したりしてもよい。
【００３６】
次に、本実施形態の排紙トレイ３１について詳しく説明する。図３は、本実施形態の排紙トレイ３１及び昇華型プリンタ２３等を示す断面図である。また、図４は、画像処理装置１の蓋体１１を取外した状態で、排紙トレイ３１及び昇華型プリンタ２３等を示す斜視図である。更に、図５は、排紙トレイ３１等を拡大して示す断面図である。
【００３７】
図３〜図５に示すように昇華型プリンタ２３は、棚２２上に載せられており、その排出口２３ａが蓋体１１から離されて記録用紙排出口１８の排紙トレイ３１よりも上方に配置されている。昇華型プリンタ２３により画像が記録用紙に印刷され、その排出口２３ａから排紙トレイ３１へと記録用紙が排出されて、記録用紙が排紙トレイ３１に溜められる。
【００３８】
排紙トレイ３１は、一対の側壁部３２、傾斜受け部３３、第１傾斜部３４、第２傾斜部３５、壁部３６、底部３７、排出口接続部３８、及び凸部３９を有している。
【００３９】
ここで、各側壁部３２は、昇華型プリンタ２３の排出口２３ａよりも広い間隔を空けて対向配置されており、各側壁部３２の間に、傾斜受け部３３、第１傾斜部３４、第２傾斜部３５、壁部３６、底部３７、排出口接続部３８、及び凸部３９が設けられている。
【００４０】
傾斜受け部３３及び第１傾斜部３４は、概ね平坦な傾斜面である。傾斜受け部３３は、その上端を昇華型プリンタ２３の壁部２３ｂに接近させた状態で排出口２３ａの下方に配置されている。また、第１傾斜部３４は、傾斜受け部３３の下端に接続されて、傾斜受け部３３よりも僅かに急に傾斜している。
【００４１】
傾斜面３５ａ及び水平面３８ａには、帯板状の２つのリブ４１が昇華型プリンタ２３からの記録用紙の排出方向に対して直交する方向に離間して立設されている。各リブ４１は、傾斜面３５ａと水平面３８ａとの境界で屈曲しており、傾斜面３５ａ側の各リブ４１の端部が第２傾斜部３５となり、また水平面３８ａ側の各リブ４１の端部が排出口接続部３８となっている。従って、第２傾斜部３５及び排出口接続部３８は、各リブ４１の端部からなる。
【００４２】
第２傾斜部３５は、垂直方向（重力方向）Ｖに対して傾斜受け部３３及び第１傾斜部３４とは反対向きに傾斜し、第１傾斜部３４の下端から該第１傾斜部３４の傾斜方向に（第１傾斜部３４に接して該傾斜面と同様に傾斜した仮想直線Ｌに沿って）離間して配置されている。
【００４３】
そして、第１傾斜部３４から第１傾斜部３４の傾斜方向に第２傾斜部３５まで延ばされた仮想直線Ｌと第２傾斜部３５との間の壁部３６に向く角度αが鈍角となるように、第２傾斜部３５の傾斜角を設定している。あるいは、仮想直線Ｌと第２傾斜部３５との間の上方向に向く角度βが鋭角となるように、第２傾斜部３５の傾斜角を設定しているともいえる。
【００４４】
また、排出口接続部３８は、第２傾斜部３５の上端３５ｆから蓋体１１の記録用紙排出口１８の下端近傍まで延在する。
【００４５】
壁部３６は、概ね平坦な垂直面であり、第１傾斜部３４の下端で下方に屈曲して延在し、第２傾斜部３５と向き合っている。
【００４６】
第１傾斜部３４の下端と壁部３６との屈曲位置Ｑは、昇華型プリンタ２３の排出口２３ａから排出された定型サイズの記録用紙Ｐの先端が第２傾斜部３５に当接して第１傾斜部３４に載った状態の前記記録用紙Ｐの重心位置Ｘよりも高くなるように設定されている。例えば、昇華型プリンタ２３で用いられる最小の定型サイズの記録用紙Ｐに対して屈曲位置Ｑを設定する。この場合は、屈曲位置Ｑが、大きな定型サイズの記録用紙Ｐの重心位置Ｘよりも低くなることもある。
【００４７】
また、壁部３６の上部には、板状の２つのリブ４２が昇華型プリンタ２３からの記録用紙の排出方向に対して直交する方向に離間して立設されている。各リブ４２は、側方から見ると概ね台形状であって、それらの端部が凸部３９を形成している。従って、凸部３９は、各リブ４２の端部からなる。
【００４８】
この凸部３９は、側方から見ると概ね台形状であることから、凸部３９よりも下方の壁部３６の下部には、第２傾斜部３５とは反対側に凹んだ凹所Ｆが形成される。
【００４９】
また、凸部３９の最も突出した先端部３９ａから下方に延ばされた仮想垂線Ｚが第２傾斜部３５と交わるように、凸部３９の先端部３９ａと第２傾斜部３５の下端３５ｇとの位置関係を設定している。
【００５０】
底部３７は、互いに離間した第２傾斜部３５の下端３５ｇと壁部３６の下端３６ａとの間に設けられている。
【００５１】
次に、図６（ａ）〜（ｆ）を参照して、本実施形態の排紙トレイ３１に排出された記録用紙の動きを説明する。
【００５２】
まず、図６（ａ）に示すように記録用紙Ｐが昇華型プリンタ２３の排出口２３ａから排出されると、記録用紙Ｐが傾斜受け部３３及び第１傾斜部３４で受けられて滑降する。このとき、昇華型プリンタ２３の排出口２３ａからは、画像を記録した記録用紙Ｐの面を上向きにして、記録用紙Ｐがフェイスアップで排出されることから、蓋体１１の記録用紙排出口１８を通じて、第１傾斜部３４で滑降する記録用紙Ｐの画像を見ることができる。
【００５３】
そして、図６（ｂ）に示すように記録用紙Ｐの先端が第２傾斜部３５に当接すると、仮想直線Ｌと第２傾斜部３５との間の壁部３６に向く角度αが鈍角に設定されていることから、第２傾斜部３５により記録用紙Ｐの先端が第２傾斜部３５に沿って下方へと容易に滑り落ちて行く。このため、図６（ｃ）に示すように記録用紙Ｐが屈曲位置Ｑを中心に矢印方向Ｄに回転し、引き続いて記録用紙Ｐが凸部３９を中心に同一の矢印方向Ｄに更に回転する。このとき、記録用紙Ｐが最小の定型サイズである場合は、図３に示すように屈曲位置Ｑが、記録用紙Ｐの先端が第２傾斜部３５に当接して第１傾斜部３４に載った状態の前記記録用紙Ｐの重心位置Ｘよりも高くなることから、記録用紙が屈曲位置Ｑを中心にして回転しようとするモーメントが生じ、記録用紙Ｐが回転し易くなる。
【００５４】
また、記録用紙Ｐがより大きな定型サイズである場合は、屈曲位置Ｑが記録用紙Ｐの重心位置Ｘよりも低くなるものの、記録用紙Ｐがより重いことから、第１傾斜部３４での記録用紙Ｐの滑降速度が上昇し、滑降して来た記録用紙Ｐの慣性（勢い）によりその先端が第２傾斜部３５に当接して速やかに滑り落ち、記録用紙Ｐが確実に回転する。
【００５５】
更に、第２傾斜部３５が各リブ４１の端部からなることから、記録用紙Ｐの先端が第２傾斜部３５上で滑り落ち易く、これによっても記録用紙Ｐが確実に回転する。
【００５６】
また、凸部３９の最も突出した先端部３９ａから下方に延ばされた仮想垂線Ｚが第２傾斜部３５と交わることから、図６（ｄ）に示すように記録用紙Ｐが略垂直になるまで回転して、引き続き記録用紙Ｐの先端が第２傾斜部３５上で底部３７の付近まで滑り落ちるときに、記録用紙Ｐの後端側が凸部３９に押されて、記録用紙Ｐがより回転する。また、凸部３９の下部に凹所Ｆを設けているため、記録用紙Ｐの先端が凹所Ｆへと矢印方向Ｅに速やかに移動し、記録用紙Ｐの回転がより促進される。更に、図６（ｅ）に示すように記録用紙Ｐの先端が底部３７に到達すると、記録用紙Ｐが裏返り、記録用紙Ｐがフェイスダウンで第２傾斜部３５に受けられる。
【００５７】
次に、２枚目以降の記録用紙Ｐについても、記録用紙Ｐが昇華型プリンタ２３の排出口２３ａからフェイスアップで排出され傾斜受け部３３及び第１傾斜部３４で受けられて滑降することから、記録用紙Ｐの画像を見ることができる。
【００５８】
そして、第２傾斜部３５には、他の記録用紙が既に裏返されて溜められており、この他の記録用紙が第２傾斜部３５と同様に傾斜していることから、２枚目以降の記録用紙Ｐの先端が第２傾斜部３５の他の記録用紙の裏面に当接して下方に滑り落ち、その記録用紙Ｐが屈曲位置Ｑ及び凸部３９を中心に矢印方向Ｄに回転する。更に、記録用紙Ｐの先端が底部３７に到達し、記録用紙Ｐの先端が凹所Ｆへと矢印方向Ｅに移動して、記録用紙Ｐがより回転し、記録用紙Ｐが裏返り、記録用紙Ｐがフェイスダウンで第２傾斜部３５に受けられる。
【００５９】
このように本実施形態の排紙トレイ３１では、昇華型プリンタ２３の排出口２３ａからフェイスアップで排出された記録用紙Ｐを傾斜受け部３３及び第１傾斜部３４で受けて滑降させるので、記録用紙Ｐの画像を見ることができる。また、記録用紙Ｐの先端を第２傾斜部３５又は第２傾斜部３５と同様に傾斜した他の記録用紙の裏面に当接させて落とし込んで、第１傾斜部３４の下端と壁部３６との屈曲位置Ｑ及び凸部３９で記録用紙Ｐを回転させ、記録用紙Ｐの先端を凹所Ｆへと矢印方向Ｅに移動させて、記録用紙Ｐを裏返らせ、記録用紙Ｐをフェイスダウンで第２傾斜部３５に受けているので、図６（ｅ）に示すように複数の記録用紙Ｐをフェイスダウンで第２傾斜部３５に溜めて重ねることができる。このため、各記録用紙Ｐを記録用紙排出口１８を通じて排紙トレイ３１から纏めて取り出して引っ繰り返せば、各記録用紙の画像の順序と元の各画像の印刷順序とが一致し、各記録用紙を並べ替える必要がない。
【００６０】
また、第２傾斜部３５（各リブ４１の端部）と傾斜面３５ａとが離間しているので、第２傾斜部３５に溜めて重ねられた各記録用紙Ｐと傾斜面３５ａとの間に空間が形成され、この空間に指を入れることにより記録用紙を排紙トレイ３１から容易に取り出すことができる。
【００６１】
更に、記録用紙Ｐが湾曲していても平面状であっても、記録用紙Ｐを裏返らせてフェイスダウンで第２傾斜部３５に受けて溜めることができる。特に、第１傾斜部３４上で記録用紙Ｐの中央が出っ張るように記録用Ｐが湾曲している場合は、記録用紙Ｐが簡単に裏返える。また、第１傾斜部３４上で記録用紙Ｐが反り返って湾曲している場合であっても、記録用紙Ｐを裏返すことができる。
【００６２】
尚、上記実施形態では、側方から見て概ね台形状の凸部３９を壁部３６の上部に設けているが、他の形状の凸部３９を適用してもよい。例えば、図７（ａ）に示すように側方から見ると半円形状の凸部３９Ａ、図７（ｂ）に示すように側方から見ると直角三角形状の凸部３９Ｂ、図７（ｃ）に示すように側方から見ると半釣鐘形状の凸部３９Ｃを適用することができる。このような凸部３９Ａ，３９Ｂ、３９Ｃのいずれも、第１傾斜部３４と滑らかに繋がるため、第１傾斜部３４で滑降して来た記録用紙が凸部を速やかに通過しつつ、滑降中の記録用紙の慣性によりその記録用紙が凸部で容易に回転して裏返る。
【００６３】
また、第１傾斜部３４での記録用紙Ｐの滑降速度が高い場合は、滑降中の記録用紙Ｐの慣性によりその先端が第２傾斜部３５に当接して速やかに滑り落ち、記録用紙Ｐが確実に回転することから、凸部３９を省略することも可能である。
【００６４】
更に、第１傾斜部３４を平坦な傾斜面としているが、第１傾斜部３４を湾曲面にしてもよい。また、第２傾斜部３５を形成する各リブ４１の端部を湾曲させたり、第２傾斜部３５を湾曲面にしたりしてもよい。
【００６５】
また、壁部３６を垂直面としているが、壁部３６を第１傾斜部３４よりも急峻な傾斜面にしたり、あるいは壁部３６を第２傾斜部３５と同じ向きに傾斜する傾斜面にしたりしてもよい。
【００６６】
更に、底部３７の幅を変更したり、底部３７を省略したりしてもよい。底部３７を省略した場合は、第２傾斜部３５と壁部３６とが側方から見て概ねＶ字型を描くが、このＶ字型の内側空間に複数の記録用紙を重ねて溜めることが可能である。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００６８】
１  画像処理装置
２  複合機
１１  蓋体
１２  装置本体
１３  挿入口
１４  硬貨投入口
１５  領収書排出口
１７  硬貨返却口
１８  記録用紙排出口
２１  感熱プリンタ
２２  棚
２３  昇華型プリンタ（画像形成装置）
２４  液晶表示装置
３１  排紙トレイ
３２  側壁部
３３  傾斜受け部
３４  第１傾斜部
３５  第２傾斜部
３６  壁部
３７  底部
３８  排出口接続部
３９  凸部
４１、４２  リブ（板状部材）
Ｆ  凹所
Ｑ  屈曲位置
Ｚ  仮想垂線
【図１】
0005996261.tif 000002
【図２】
0005996261.tif 000003
【図３】
0005996261.tif 000004
【図４】
0005996261.tif 000005
【図５】
0005996261.tif 000006
【図６】
0005996261.tif 000007
【図７】
0005996261.tif 000008